(57)【要約】【課題】  デバイスリンクプロファイルの情報を保持して、複数のユーザが利用する画像形成装置の制御装置において、セキュリティを向上する。【解決手段】  ターゲットとなるターゲット画像形成装置での色再現特性を、制御対象となる画像形成装置で再現させるためのデバイスリンクプロファイルを、少なくとも一つのユーザ識別情報に対応づけて保持し、ユーザから前記デバイスリンクプロファイルの利用要求があった場合に、前記ユーザ識別情報の指定があるか否かに応じて、デバイスリンクプロファイルの利用を許可するか否かを判定する画像形成装置の制御装置である。【選択図】        図１
2007052711.tif 000002
【特許請求の範囲】
【請求項１】
画像形成装置の制御装置であって、
ターゲットとなるターゲット画像形成装置での色再現特性を、前記画像形成装置で再現させるためのデバイスリンクプロファイルを、少なくとも一つのユーザ識別情報に対応づけて保持するデバイスリンクプロファイル保持手段と、
ユーザから前記デバイスリンクプロファイルの利用要求があった場合に、前記ユーザ識別情報の指定があるか否かに応じて、デバイスリンクプロファイルの利用を許可するか否かを判定するデバイスリンクプロファイル利用制御手段と、
を含むことを特徴とする画像形成装置の制御装置。
【請求項２】
画像形成装置の制御装置であって、
電子メール受信手段と、
ターゲットとなるターゲット画像形成装置の色再現特性を表すターゲットプロファイルの情報を含む第１の電子メールを受信した場合に、当該ターゲットプロファイルに基づいて、当該ターゲット画像形成装置の色再現特性を前記画像形成装置で再現させるためのデバイスリンクプロファイルを生成し、当該第１の電子メールの送信者識別情報に対応づけて保持するデバイスリンクプロファイル保持手段と、
前記デバイスリンクプロファイルの利用要求を含む第２の電子メールを受信した場合に、前記第１の電子メールの送信者識別情報と当該第２の電子メールの送信者識別情報とが一致するか否かに応じて、前記デバイスリンクプロファイルの利用を許可するか否かを判定するデバイスリンクプロファイル利用制御手段と、
を含むことを特徴とする画像形成装置の制御装置。
【請求項３】
コンピュータを用いた画像形成装置の制御方法であって、
ターゲットとなるターゲット画像形成装置での色再現特性を、前記画像形成装置で再現させるためのデバイスリンクプロファイルを、少なくとも一つのユーザ識別情報に対応づけて保持するステップと、
ユーザから前記デバイスリンクプロファイルの利用要求があった場合に、前記ユーザ識別情報の指定があるか否かに応じて、デバイスリンクプロファイルの利用を許可するか否かを判定するステップと、
を含むことを特徴とする画像形成装置の制御方法。
【請求項４】
画像形成装置の制御プログラムであって、
ターゲットとなるターゲット画像形成装置での色再現特性を、前記画像形成装置で再現させるためのデバイスリンクプロファイルを、少なくとも一つのユーザ識別情報に対応づけて保持するデバイスリンクプロファイル保持手段、及び
ユーザから前記デバイスリンクプロファイルの利用要求があった場合に、前記ユーザ識別情報の指定があるか否かに応じて、デバイスリンクプロファイルの利用を許可するか否かを判定するデバイスリンクプロファイル利用制御手段、
としてコンピュータを機能させることを特徴とする画像形成装置の制御プログラム。
【発明の詳細な説明】
【技術分野】
【０００１】
本発明は、ターゲットとなる画像形成装置の色再現特性を、制御対象となる画像形成装置で再現させる画像形成装置の制御装置、画像形成装置の制御方法及び画像形成装置の制御プログラムに関する。
【背景技術】
【０００２】
近年、印刷物を製作する製作会社においてコンピュータを用いて印刷物の紙面を電子的な画像データとして製作し、当該画像データを印刷会社に入稿することが行われている。このように入稿が行われると、印刷会社は印刷機を用いて受領した画像データを紙などの媒体上に形成することにより印刷を行う。この場合、製作会社のユーザは印刷会社における印刷機の印刷結果を事前に自社に設置された画像形成装置により再現し、印刷物のチェックを行うことがある。
【０００３】
自社の画像形成装置で印刷会社における印刷結果を再現するためには、以下のような技術を用いることができる（例えば特許文献１参照）。すなわち、まず製作会社のユーザは、印刷結果を再現するターゲットとなるターゲット画像形成装置（ここでは、印刷会社で画像の印刷に用いる印刷機）の色再現特性を表す色変換プロファイル（ターゲットプロファイル）をセンタサーバなどから取得する。そして、当該ターゲットプロファイルの情報とともに、自社に設置された画像形成装置の制御装置に対して画像データの出力指示を行う。ここで、当該制御装置は、自社の画像形成装置の色再現特性を表す色変換プロファイル（デバイスプロファイル）を保有しているものとする。制御装置は、このデバイスプロファイルと、ユーザから受け取ったターゲットプロファイルの情報とに基づいて、印刷会社の印刷機の色情報と自社に設置された画像形成装置の色情報とを結びつける色変換プロファイル（デバイスリンクプロファイル）を生成する。そして、当該デバイスリンクプロファイルにより色変換を行ったうえで画像データの出力を行う。これにより、ユーザは製作会社に設置された画像形成装置により、印刷会社における印刷機の印刷結果を再現できる。
【特許文献１】特開２００４‐２８７６５７号公報
【発明の開示】
【発明が解決しようとする課題】
【０００４】
しかしながら、上記従来例の技術によれば、制御装置は画像データを画像形成装置に出力させる場合に、その都度印刷機のターゲットプロファイルを取得する必要があり、ユーザの手間がかかる。あるいは、このような手間を軽減するために、制御装置が印刷機のターゲットプロファイルの情報をもとに生成したデバイスリンクプロファイルの情報を保持することも考えられる。しかし、この方法を採ると、複数のユーザが当該制御装置を利用している場合に、他のユーザがデバイスリンクプロファイルを利用できてしまう。そのため、例えば印刷機のターゲットプロファイルに印刷会社のノウハウが含まれている場合などにおいて、セキュリティ上の問題が生じる場合がある。
【０００５】
本発明は上記実情に鑑みてなされたものであって、その目的の一つは、デバイスリンクプロファイルの情報を保持して、複数のユーザが利用する場合に、セキュリティを向上できる画像形成装置の制御装置、画像形成装置の制御方法及び画像形成装置の制御プログラムを提供することにある。
【課題を解決するための手段】
【０００６】
上記課題を解決するための本発明に係る画像形成装置の制御装置は、ターゲットとなるターゲット画像形成装置での色再現特性を、前記画像形成装置で再現させるためのデバイスリンクプロファイルを、少なくとも一つのユーザ識別情報に対応づけて保持するデバイスリンクプロファイル保持手段と、ユーザから前記デバイスリンクプロファイルの利用要求があった場合に、前記ユーザ識別情報の指定があるか否かに応じて、デバイスリンクプロファイルの利用を許可するか否かを判定するデバイスリンクプロファイル利用制御手段と、を含むことを特徴とする。
【０００７】
これにより、本発明に係る画像形成装置の制御装置は、ユーザ識別情報の指定の有無に応じてデバイスリンクプロファイルの利用を制限でき、セキュリティを向上できる。
【０００８】
また、本発明に係る別の画像形成装置の制御装置は、電子メール受信手段と、ターゲットとなるターゲット画像形成装置の色再現特性を表すターゲットプロファイルの情報を含む第１の電子メールを受信した場合に、当該ターゲットプロファイルに基づいて、当該ターゲット画像形成装置の色再現特性を前記画像形成装置で再現させるためのデバイスリンクプロファイルを生成し、当該第１の電子メールの送信者識別情報に対応づけて保持するデバイスリンクプロファイル保持手段と、前記デバイスリンクプロファイルの利用要求を含む第２の電子メールを受信した場合に、前記第１の電子メールの送信者識別情報と当該第２の電子メールの送信者識別情報とが一致するか否かに応じて、前記デバイスリンクプロファイルの利用を許可するか否かを判定するデバイスリンクプロファイル利用制御手段と、を含むことを特徴とする。
【０００９】
これにより、当該画像形成装置の制御装置は、電子メールのメールアドレスやメールアカウントなどの送信者識別情報に基づいて、デバイスリンクプロファイルの利用を制限でき、セキュリティを向上できる。
【００１０】
また、本発明に係る画像形成装置の制御方法は、コンピュータを用いた画像形成装置の制御方法であって、ターゲットとなるターゲット画像形成装置での色再現特性を、前記画像形成装置で再現させるためのデバイスリンクプロファイルを、少なくとも一つのユーザ識別情報に対応づけて保持するステップと、ユーザから前記デバイスリンクプロファイルの利用要求があった場合に、前記ユーザ識別情報の指定があるか否かに応じて、デバイスリンクプロファイルの利用を許可するか否かを判定するステップと、を含むことを特徴とする。
【００１１】
また、本発明に係る画像形成装置の制御プログラムは、ターゲットとなるターゲット画像形成装置での色再現特性を、前記画像形成装置で再現させるためのデバイスリンクプロファイルを、少なくとも一つのユーザ識別情報に対応づけて保持するデバイスリンクプロファイル保持手段、及びユーザから前記デバイスリンクプロファイルの利用要求があった場合に、前記ユーザ識別情報の指定があるか否かに応じて、デバイスリンクプロファイルの利用を許可するか否かを判定するデバイスリンクプロファイル利用制御手段、としてコンピュータを機能させることを特徴とする。
【発明を実施するための最良の形態】
【００１２】
以下、本発明の好適な実施の形態について、図面を参照しながら説明する。
【００１３】
本発明の実施の形態に係る画像形成装置の制御装置は、図１に示す全体図におけるプリントコントローラ２０であり、データ伝送可能なケーブルによりプリンタ１０と接続されている。また、プリントコントローラ２０は、クライアント端末３０との間でデータ伝送を可能とするローカルエリアネットワーク等の通信ネットワーク４０に接続されている。
【００１４】
プリンタ１０は、プリントコントローラ２０からの指示に基づいて紙などの媒体に対して画像の形成を行う装置であり、本発明の画像形成装置に相当する。なお、画像形成装置は、プリントコントローラ２０に対して複数接続されていてもよい。
【００１５】
プリントコントローラ２０は、プリントサーバなどであって、通信ネットワーク４０等を介してクライアント端末３０等から印刷の要求をされた画像データを図示しない記憶部に蓄積するとともに、所定の条件に基づく優先順位などに従って印刷要求された画像データをプリンタ１０等の画像形成装置に送り、印刷させる。ここでは、プリントコントローラ２０は、出力に用いる画像形成装置であるプリンタ１０の色再現特性を表す色変換プロファイル（デバイスプロファイル）を保持することとする。例えばデバイスプロファイルは、所定の色空間における色成分値（例えばＣＩＥ  ＸＹＺ値やＣＩＥ  Ｌａｂ値など）とプリンタ１０の各成分色の濃度値（例えばＣＭＹＫ値など）とを対応づけるルックアップテーブルからなる。そして、プリントコントローラ２０は、クライアント端末３０等から受け取った画像データに含まれる各色の色成分値を、色変換プロファイルに基づいてプリンタ１０における各成分色の濃度値に変換した上で、プリンタ１０に対して出力し、印刷を実行させる。
【００１６】
クライアント端末３０は、例えばパーソナルコンピュータ等であって、ユーザの操作に基づいてプリントコントローラ２０に対して画像の印刷指示を行う。なお、クライアント端末も、通信ネットワーク４０に複数接続されていてもよい。
【００１７】
以下では、本実施の形態に係る画像形成装置の制御装置を用いた処理の例について、図２のフロー図に基づいて説明する。ここでは、ユーザは出力結果を再現するターゲットとなるターゲット画像形成装置（例えば、印刷会社に設置された印刷機など）の色再現特性を表す色変換プロファイルであるターゲットプロファイルＴＡを入手しており、このターゲットプロファイルＴＡを用いてプリントコントローラ２０により印刷会社における印刷結果を再現するものとする。
【００１８】
まず、プリントコントローラ２０は、ユーザ識別情報に対応づけて、ターゲットプロファイルの情報を取得する（Ｓ１）。ユーザ識別情報は、プリントコントローラ２０を利用するユーザを特定するための情報であり、ここでは一例としてユーザ識別子及びパスワードであるとする。具体的には、例えばユーザはクライアント端末３０においてユーザ識別子及びパスワードを入力する。そして、クライアント端末３０は通信ネットワーク４０を介してプリントコントローラ２０に対してユーザ識別子及びパスワードとともにターゲットプロファイルＴＡを送信する。なお、ターゲットプロファイルは、画像データに埋め込まれたものであってもよい。また、このＳ１の処理は、ターゲット画像形成装置での色再現特性を再現させる対象となる画像データの印刷要求とともに実行してもよい。
【００１９】
次に、プリントコントローラ２０は、Ｓ１の処理において取得したターゲットプロファイルＴＡと、予め記憶部に保持しているプリンタ１０のデバイスプロファイルとに基づいて、デバイスリンクプロファイルＤＬＡを生成する（Ｓ２）。ここで、デバイスリンクプロファイルはターゲット画像形成装置の色再現特性をプリンタ１０で再現させるための色変換プロファイルである。デバイスリンクプロファイルは、例えばターゲット画像形成装置の各成分色の濃度値と、プリンタ１０の各成分色の濃度値とを対応づけるルックアップテーブルからなる。プリントコントローラ２０は、このデバイスリンクプロファイルを用いて画像データの色情報をプリンタ１０の色の濃度値に変換してプリンタ１０に出力させることにより、画像データのターゲット画像形成装置による印刷結果をプリンタ１０により再現することができる。
【００２０】
続いて、プリントコントローラ２０は、Ｓ２の処理により生成したデバイスリンクプロファイルを、Ｓ１の処理により取得したユーザ識別情報と対応づけて、プロファイルデータベースに登録する（Ｓ３）。ここで、プロファイルデータベースは、ユーザ識別情報とデバイスリンクプロファイルとを対応づけて保持するデータベースであって、例えば図３に示す例のような情報を保持する。
【００２１】
その後、ユーザがクライアント端末３０から、デバイスリンクプロファイルＤＬＡを利用する画像データの印刷要求をプリントコントローラ２０に対して行ったとする（Ｓ４）。この印刷要求は、ターゲット画像形成装置による印刷結果の再現を行う対象となる画像データを含んでいる。ここでは、この画像データの色情報は、再現対象となる印刷機の各成分色の濃度値で表されたものであるとする。
【００２２】
続いて、プリントコントローラ２０は、Ｓ４の処理においてデバイスリンクプロファイルＤＬＡの利用要求を行ったユーザのユーザ識別情報を取得する（Ｓ５）。具体的には、例えばデバイスリンクプロファイルの利用要求があった場合に、プリントコントローラ２０が利用要求を送信した端末であるクライアント端末３０に対してユーザ識別情報の入力を促す画面を表示させ、ユーザが入力したユーザ識別子及びパスワードを通信ネットワーク４０経由で取得する。あるいは、クライアント端末３０はＳ４の処理において印刷要求とともにユーザ識別子及びパスワードを送信し、プリントコントローラ２０は当該送信されたユーザ識別子及びパスワードを取得することとしてもよい。
【００２３】
Ｓ５の処理においてユーザ識別情報を取得したプリントコントローラ２０は、前述したプロファイルデータベースを参照し、Ｓ５の処理により取得したユーザ識別情報がＳ４の処理において利用要求のあったデバイスリンクプロファイルに対応づけられたものであるか否かを判定する（Ｓ６）。判定の結果、Ｓ５の処理により取得したユーザ識別子及びパスワードがデバイスリンクプロファイルＤＬＡに対応づけられたものと一致する場合、プリントコントローラ２０はＳ４の処理における印刷要求に含まれる画像データに対して、デバイスリンクプロファイルＤＬＡを用いて色変換を行い、その結果をプリンタ１０に対して出力する（Ｓ７）。これにより、プリンタ１０はターゲット画像形成装置の印刷結果を再現するような色変換がなされた画像を媒体上に形成する。
【００２４】
一方、Ｓ６の処理による判定の結果、ユーザ識別情報が一致しない場合、プリントコントローラ２０は印刷要求のあった画像データの出力を制限する。これにより、正しいユーザ識別子とパスワードを知らない第三者は、デバイスリンクプロファイルＤＬＡを用いた画像データの出力はできないこととなる。
【００２５】
以上説明した本実施の形態によれば、ユーザ識別情報の指定の有無によりプリントコントローラ２０の保持するデバイスリンクプロファイルの利用を制限でき、セキュリティを向上できる。
【００２６】
なお、上述した処理の例においては、ユーザ識別子とパスワードとデバイスリンクプロファイルとを対応づけてプロファイルデータベースに保持することとしたが、プロファイルデータベースはユーザ識別子とデバイスリンクプロファイルとを対応づけて保持することとしてもよい。この場合、予めプリントコントローラ２０を利用するユーザのユーザ識別子とパスワードとを対応づけるユーザデータベースをプリントコントローラ２０が保持していれば、上述した処理の例と同様にパスワードによる認証を行うことができる。
【００２７】
次に、プリントコントローラ２０が通信ネットワーク４０を介して電子メールを受信する手段を備え、受信した電子メールに添付された画像データをプリンタ１０に対して印刷させる場合の処理の一例について、図４のフロー図に基づいて説明する。ここでは、前述の例と同様に、ユーザは再現対象であるターゲット画像形成装置のターゲットプロファイルＴＡを入手しており、クライアント端末３０から電子メールを送信することにより、プリントコントローラ２０に印刷結果を再現したい画像データの印刷要求を行うこととする。
【００２８】
まず、プリントコントローラ２０は、ユーザがクライアント端末３０から送信した、ターゲットプロファイルＴＡを含んだ電子メールを受信する（Ｓ１１）。なお、前述の例と同様にターゲットプロファイルは、画像データに埋め込まれたものであってもよい。また、当該電子メールは、画像データの印刷要求とともに、ターゲットプロファイルに基づいて生成したデバイスリンクプロファイルを保存する旨の指示を含んだものであってもよい。
【００２９】
次に、プリントコントローラ２０は、Ｓ１１の処理において取得したターゲットプロファイルＴＡと、予め記憶部に保持しているプリンタ１０のデバイスプロファイルとに基づいて、デバイスリンクプロファイルＤＬＡを生成する（Ｓ１２）。
【００３０】
続いて、プリントコントローラ２０は、Ｓ１２の処理により生成したデバイスリンクプロファイルを、Ｓ１１の処理により送信された電子メールの送信者識別情報と対応づけて、プロファイルデータベースに登録する（Ｓ１３）。ここで、電子メールの送信者識別情報は、電子メールの送信者を識別するための情報であって、例えば電子メールアドレスや、電子メールアドレスからドメイン名の部分を除いたメールアカウントなどの情報である。また、この例の場合のプロファイルデータベースは、電子メールの送信者識別情報とデバイスリンクプロファイルとを対応づけて保持するデータベースであって、例えば図５に示す例のような情報を保持する。
【００３１】
その後、ユーザがクライアント端末３０から電子メールを送信することにより、デバイスリンクプロファイルＤＬＡを利用した画像データの印刷要求をプリントコントローラ２０に対して行ったとする（Ｓ１４）。ここでは、この電子メールには、デバイスリンクプロファイルＤＬＡを使用する旨の指定が含まれており、また再現対象となる画像データが添付されているものとする。
【００３２】
続いて、プリントコントローラ２０は、前述したプロファイルデータベースを参照し、Ｓ１４の処理により送信された電子メールの送信者識別情報が、当該電子メールにおいて利用要求のあったデバイスリンクプロファイルに対応づけられたものであるか否かを判定する（Ｓ１５）。判定の結果、Ｓ１４の処理により送信された電子メールの送信者識別情報がプロファイルデータベースにおいてデバイスリンクプロファイルＤＬＡに対応づけられた送信者識別情報と一致する場合、プリントコントローラ２０はＳ１４の処理により送信された電子メールに添付された画像データに対して、デバイスリンクプロファイルＤＬＡを用いて色変換を行い、その結果をプリンタ１０に対して出力する（Ｓ１６）。これにより、プリンタ１０はターゲット画像形成装置の印刷結果を再現するような色変換がなされた画像を媒体上に形成する。
【００３３】
一方、Ｓ１５の処理による判定の結果、電子メールの送信者識別情報がデバイスリンクプロファイルに対応づけられたものと一致しない場合、プリントコントローラ２０は印刷要求のあった画像データの出力を制限する。これにより、最初にターゲットプロファイルＴＡを送信した電子メールアドレスと異なる電子メールアドレスを用いて印刷要求を行った場合には、デバイスリンクプロファイルＤＬＡを用いた画像データの出力はできないこととなる。この処理の例においては、プリントコントローラ２０に電子メールを配信する電子メールサーバなどにより、送信者の電子メールアドレスの詐称を防止するセキュリティ上の対策が採られていれば、第三者によるデバイスリンクプロファイルの不正な利用を制限することができる。
【００３４】
以上説明した本実施の形態によれば、電子メールの送信者識別情報に基づいてプリントコントローラ２０の保持するデバイスリンクプロファイルの利用を制限でき、電子メールの送信によりデバイスリンクプロファイルの利用要求を行う場合にセキュリティを向上できる。
【００３５】
なお、以上説明した例においては、デバイスリンクプロファイルは常にプリントコントローラ２０を利用するユーザを識別するための情報に対応づけられており、当該ユーザしかデバイスリンクプロファイルを利用できない。しかし、本実施の形態に係る画像形成装置の制御装置はこのような例に限られず、生成されるデバイスリンクプロファイルごとに、当該デバイスリンクプロファイルを登録したユーザ以外の第三者によるデバイスリンクプロファイルの利用を許可するか否かを指定できることとしてもよい。プロファイルデータベースに保持されているデバイスリンクプロファイルについて、第三者による利用を許可する指定を行った場合には、それ以後のデバイスリンクプロファイルの利用要求に対しては、上述したようなユーザ識別情報又は電子メールの送信者識別情報による利用制限を行わずに、プリントコントローラ２０は当該デバイスリンクプロファイルの利用要求を第三者に対しても許可する。
【００３６】
また、過去にターゲットプロファイルをプリントコントローラ２０に送付し、デバイスリンクプロファイルをプリントコントローラ２０に保持させているユーザは、画像データの印刷要求を行う場合に、当該デバイスリンクプロファイルを利用するか否かを指定できることとしてもよい。また、一人のユーザがプリントコントローラ２０に対して複数のデバイスリンクプロファイルを保持させている場合には、画像データの印刷要求を行う際に、どのデバイスリンクプロファイルを利用するかを指定できることとしてもよい。
【００３７】
また、ユーザは、上述した二つの処理の例のような複数のデバイスリンクプロファイルの利用要求の手段を、任意に選択して利用できることとしてもよい。すなわち、例えばプリントコントローラ２０は通常のアプリケーションからの印刷要求とともにターゲットプロファイルを取得し、デバイスリンクプロファイルをユーザ識別子と対応づけてプロファイルデータベースに登録したとする。また、プリントコントローラ２０は、ユーザ識別子と電子メールアドレスとを対応づけるユーザデータベースを保持しているものとする。この場合、ユーザが電子メールにより画像データの印刷要求を行った際には、プリントコントローラ２０は当該電子メールの電子メールアドレスと対応づけられたユーザ識別子を取得し、利用要求のあったデバイスリンクプロファイルと取得したユーザ識別子とがプロファイルデータベースにおいて対応づけられているか否かを判定する。このように、複数のユーザ識別情報を対応づけて保持することにより、プリントコントローラ２０は、ユーザがデバイスリンクプロファイルを登録した手段とは異なる手段により印刷要求を行った場合でも、当該ユーザがデバイスリンクプロファイルを利用する権限があるか否かを正しく判断することができる。その結果、ユーザにとってデバイスリンクプロファイルの利用要求を複数の手段のいずれによっても行うことができるとともに、複数の手段のうちのどの手段により利用要求があった場合でも、権限のない第三者によるデバイスリンクプロファイルの利用を制限することができる。
【図面の簡単な説明】
【００３８】
【図１】本発明の実施の形態に係る画像形成装置の制御装置を含むシステムの概略の構成を表す全体図である。
【図２】本発明の実施の形態に係る画像形成装置の制御装置によって実行される処理の一例を示すフロー図である。
【図３】本発明の実施の形態に係る画像形成装置の制御装置の保持するプロファイルデータベースの一例を表す図である。
【図４】本発明の実施の形態に係る画像形成装置の制御装置によって実行される処理の別の一例を示すフロー図である。
【図５】本発明の実施の形態に係る画像形成装置の制御装置の保持するプロファイルデータベースの別の一例を表す図である。
【符号の説明】
【００３９】
１０  プリンタ、２０  プリントコントローラ、３０  クライアント端末、４０  通信ネットワーク。
【図１】
2007052711.tif 000003
【図２】
2007052711.tif 000004
【図３】
2007052711.tif 000005
【図４】
2007052711.tif 000006
【図５】
2007052711.tif 000007